(57)【要約】【課題】  洗濯ピンチにより、洗濯物を竿越しに二重干しに挟持すると、挟持したところに折り目が付き乾燥後にしわができ、内側と外側の乾く時間が違い干す時間が長くなるので、洗濯物を竿越しに挟持せずに、洗濯物の先端を掴んで一重干しで吊るした状態で、洗濯物の形状を優先させた位置に物干し竿上を移動固定できる、洗濯ピンチを提案する。【解決手段】  外側に構成された洗濯ピンチの挟持部材の形状は、内部を空洞にしたロの字状の長方形として、内部に構成された洗濯ピンチの挟持部材の形状は、外側に構成された洗濯ピンチ挟持部材の空洞に対応した長方形として、互いに支点となる開閉軸を共有して、洗濯ピンチの内部に洗濯ピンチを複合させた形態として、外側の洗濯ピンチにより物干し竿を跨いで洗濯物の先端を掴んで一重干しで吊るした状態で、内部の洗濯ピンチにより、物干し竿を掴み物干し竿上を移動固定できる、本発明の複合洗濯ピンチにより課題の解決手段とする。【選択図】図１
2013138815.tif 000002
【特許請求の範囲】
【請求項１】
支点となる開閉軸によって開閉自在に連結された一対の挟持部材からなり、前記各挟持部材に前記開閉軸を挟んで開閉操作部と掴み部を有したピンチ部を設け、対面する前記ピンチ部が互いに閉じ合うように加勢するために、Ｃ形線加工ばねを取り付けた従来の洗濯ピンチにおいて、物干し竿を跨いで洗濯物を掴む洗濯ピンチの挟持部材の形状は、内部を空洞にしたロの字状の長方形として、外側に構成された洗濯ピンチとする、物干し竿を挟む洗濯ピンチの挟持部材の形状は、前記外側に構成された洗濯ピンチ挟持部材の空洞に対応した長方形として、内部に構成された洗濯ピンチとする、前記外側に構成された洗濯ピンチと前記内部に構成された洗濯ピンチが、互いに支点となる開閉軸を共有して洗濯ピンチの内部に洗濯ピンチを複合させた構成及び形状を特徴とした複合洗濯ピンチ。
【発明の詳細な説明】
【技術分野】
【０００１】  本発明は、二つの洗濯ピンチが、互いに支点となる開閉軸を共有して、洗濯ピンチの内部に洗濯ピンチを複合した洗濯ピンチに関する。
【背景技術】
【０００２】  従来から、厚手及長大な洗濯物を竿越しに挟持する洗濯ピンチが有る。【０００３】  上記洗濯ピンチは、支点となる開閉軸によって開閉自在に連結された一対の挟持部材からなり、各挟持部材に開閉軸を挟んで開閉操作部と二つのピンチ部を設け、対面するピンチ部が二つの掴み部を形成し、二つの掴み部のそれぞれに、開閉軸を設けると共に、対面するピンチ部が互いに閉じ合うように加勢する、Ｃ形線加工ばねを取り付けた洗濯ピンチが有る（例えば特許文献１参照。）。【０００４】  洗濯バサミのピンチ部を二重形状にして、内側のピンチ部で物干し竿を挟持し、風等により洗濯物が物干し竿上を動くことを防止し、外側のピンチ部で洗濯物を挟持することで、従来物干し竿に掛けて、二つに折らなければならなかった厚手の布等を、物干し竿に一重干に吊るすことが可能になった洗濯バサミが有る（例えば特許文献２参照。）。
【先行技術文献】
【特許文献】
【０００５】
【特許文献１】特開２００５−１０３１４３号  広報
【０００６】
【特許文献２】特開２０１１−１８８９６０号  広報
【発明の概要】
【発明が解決しようとする課題】
【０００７】  以上に述べた、特許文献１の洗濯ピンチは、物干し竿にバスタオル、シーツ、ズボン、スカート等の厚手及長大な洗濯物を竿越しに二重干しにして挟持する洗濯ピンチなので、洗濯物を竿越しに挟持したところに折り目が付き乾燥後にしわができ、内側と外側の乾く時間が違い干す時間が長くなるという問題がある。【０００８】  特許文献２の洗濯ピンチは、物干し竿を挟持するピンチ部と洗濯物を挟持するピンチ部の形状により構成された洗濯ピンチなので、外側のピンチ部に洗濯物を挟持すると、洗濯物の厚みの分だけ内側のピンチ部が開き洗濯ピンチが物干し竿上を動くという問題がある。【０００９】  本発明は、このような従来の構成が有していた問題を解決しようとするものであり、二つの洗濯ピンチが互いに支点となる開閉軸を共有することにより、洗濯ピンチの内部に洗濯ピンチを構成し、外側の洗濯ピンチで物干し竿を跨いで洗濯物の先端を掴んで一重干しで吊るした状態で、内部の洗濯ピンチにより物干し竿を掴み、洗濯物を竿越しに挟持せずに洗濯物の形状を優先させた位置に物干し竿上を移動固定できる。よって、洗濯物に折り目が付かず乾燥後にしわができ難く、洗濯物の内側と外側の乾き方が同じで干す時間が短くなる、複合した洗濯ピンチを実現することを目的とするものである。
【課題を解決するための手段】
【００１０】  本発明は上記目的を達成する為に、物干し竿を跨いで洗濯物を掴む洗濯ピンチの挟持部材の形状は、内部を空洞にしたロの字状の長方形として、外側に構成された洗濯ピンチとする。物干し竿を挟む洗濯ピンチの挟持部材の形状は、外側に構成された洗濯ピンチ挟持部材の空洞に対応した長方形として、内部に構成された洗濯ピンチとする。外側に構成された洗濯ピンチと内部に構成された洗濯ピンチが、互いに支点となる開閉軸を共有して洗濯ピンチの内部に洗濯ピンチを複合した洗濯ピンチにより課題の解決手段とする。【００１１】  上記課題解決手段による作用は次の通りである、本発明の複合洗濯ピンチにより、外側に構成された洗濯ピンチと内部に構成された洗濯ピンチが各開閉操作部の開閉操作により各ピンチ部の開閉を任意に作動することにより、洗濯物を竿越しに挟持せずに、外側に構成された洗濯ピンチで物干し竿を跨いでバスタオル、シーツ、ズボン、スカート等の厚手及長大な洗濯物の先端を掴んで一重干しで吊るした状態で、内部に構成された洗濯ピンチで物干し竿を掴み、洗濯物の形状を優先させた位置に物干し竿上を移動固定できる。
【発明の効果】
【００１２】  バスタオル、シーツ、ズボン、スカート等の厚手及長大な洗濯物を複数の複合洗濯ピンチにより、一重干しに手早く簡単に物干し竿に固定して吊るし、洗濯物の内側と外側の乾き方が同じで干す時間が短くでき乾燥後にしわができにくくなった。
【図面の簡単な説明】
【００１３】
【図１】複合洗濯ピンチの全体斜視図
【図２】外側に構成された洗濯ピンチ斜視図
【図３】外側に構成された洗濯ピンチの挟持部材内側斜視図
【図４】外側に構成された洗濯ピンチの挟持部材外側斜視図
【図５】内部に構成された洗濯ピンチ斜視図
【図６】内部に構成された洗濯ピンチの挟持部材内側斜視図
【図７】内部に構成された洗濯ピンチの挟持部材外側斜視図
【発明を実施するための形態】
【００１４】  この発明を実施するための最良の形態を図１〜７に基づき説明する、各部分は拡張して図に表示寸法形状の比較関係等が実物と異なる場合がある。
【００１５】  外側に構成された洗濯ピンチの構成及び形状として、挟持部材４の形状は内部を空洞にしたロの字状の長方形として、内側中央の左側を嵌合凸部とし右側を嵌合凹部にした円形状の開閉軸部５を設け、開閉軸部５の中心部に開閉軸挿通孔を形成する（図２、３参照。）。
【００１６】  支点となる開閉軸２を開閉軸部５の開閉軸挿通孔に通し、開閉自在に連結され同一の形状を有した一対の挟持部材４からなり、開閉軸２を挟んで開閉操作部６とピンチ部７を設け、対面するピンチ部７に掴み部を形成する。開閉操作部６を開閉軸部５より外側に反らせる。ピンチ部７が物干し竿を跨いで洗濯物を掴み吊るす為に、ピンチ部７を内向きに湾曲させ対面する掴み部に複数の山と谷を形成する（図２、３、４参照。）。
【００１７】  対面するピンチ部７が互いに閉じあうように付勢する為に、開閉操作部６左右にばね挿通孔を形成し、一対の開閉操作部６左右のばね挿通孔に開閉軸２を跨いでＣ形線加工ばね３を挿通させ、ピンチ部７左右にＣ形線加工ばね連結部を、開閉操作部６左右のばね挿通孔の同一線上に形成し、対面するピンチ部７を二本のＣ形線加工ばね３が挟むように連結する（図２、３、４参照。）。
【００１８】  内部に構成された洗濯ピンチの構成及び形状として、挟持部材８の形状は外側に構成された洗濯ピンチ挟持部材４の空洞に対応した長方形として、内側中央の両端に左側を嵌合凸部とし右側を嵌合凹部にした円形状の開閉軸部９を設け、開閉軸部９の中心部に外側に構成された洗濯ピンチ開閉軸２に対応した開閉軸挿通孔を形成する（図５、６，７参照。）。
【００１９】  支点となる開閉軸２を外側に構成された洗濯ピンチ４の開閉軸２と共有して開閉軸部１０の開閉軸挿通孔に開閉軸２を通し、開閉自在に連結され同一の形状を有した一対の挟持部材８からなり、開閉軸２を挟んで開閉操作部１０とピンチ部１１を設け、開閉操作部１０を外側に構成された洗濯ピンチ開閉操作部６よりも外側に反らせる（図５、６、７参照。）。
【００２０】  ピンチ部１１が物干し竿を掴む為に、ピンチ部１１を内向きに湾曲させ内部に複数の山と谷を形成する（図５，６、７参照。）。
【００２１】  対面するピンチ部１１が互いに閉じあうように付勢する為に、開閉操作部１０にばね挿通孔を形成し、一対の開閉操作部１０のばね挿通孔に開閉軸２を跨いでＣ形線加工ばね３を挿通させ、ピンチ部１１にＣ形線加工ばね連結部を、開閉操作部１０のばね挿通孔の同一線上に形成し、対面するピンチ部１１をＣ形線加工ばね３が挟むように連結する（図５，６、７参照。）。
【００２２】  各挟持部材４，８は合成樹脂素材からなる、Ｃ形線加工ばね３は金属が望ましい。
【符号の説明】
【００２３】  １  複合洗濯ピンチ
２  共有開閉軸
３  Ｃ形線加工ばね
４  外側に構成された洗濯ピンチ挟持部材
５  外側に構成された洗濯ピンチ開閉軸部
６  外側に構成された洗濯ピンチ開閉操作部
７  外側に構成された洗濯ピンチのピンチ部
８  内部に構成された洗濯ピンチ挟持部材
９  内部に構成された洗濯ピンチ開閉軸部
１０  内部に構成された洗濯ピンチ開閉操作部
１１  内部に構成された洗濯ピンチのピンチ部
【図１】
2013138815.tif 000003
【図２】
2013138815.tif 000004
【図３】
2013138815.tif 000005
【図４】
2013138815.tif 000006
【図５】
2013138815.tif 000007
【図６】
2013138815.tif 000008
【図７】
2013138815.tif 000009